(57)【要約】  【課題】  キーボタン本体に加えられる押圧力が防水リブによる密閉度を低下させず、占有する面積が大きくならないキーボタン組立構造を提供する。  【解決手段】  この発明のキーボタン組立構造は、シリコンゴム等の弾性材料から形成されたキーボタン本体１０と、キーボタン保持部２１とを有する。キーボタン本体の側面からは内側に向けて水平に延びるキーボタン取り付け面が形成されている。キーボタン本体のキーボタン取り付け面１２と、上部外筺２０のキーボタン取り付け穴周辺とがキーボタン保持部によって挟持されている。この場合、キーボタン取り付け面の下面に、スイッチ押圧部１３を取り囲むように形成された防水リブ１４は、キーボタン本体の押圧方向に突出しているので、キーボタン本体が押圧を受けても、その押圧力で上部外筺のキーボタン取り付け穴周辺の平面に押し付けられ、外部に対する密閉度を低下させることがない。  【選択図】  図１
2005203114.tif 000002
【特許請求の範囲】
【請求項１】
電子機器内に組み込まれたスイッチを操作するために弾性材料から形成され、電子機器の外筺のキーボタン取り付け穴にはめ込んで取り付けられるキーボタン本体を有し、キーボタン本体の側面からは水平に延びるキーボタン取り付け面が形成され、キーボタン取り付け面は、キーボタン本体が外筺のキーボタン取り付け穴に取り付けられるとき、キーボタン取り付け穴の周辺の外筺平面に押し付けられて電子機器の内外を遮断する防水リブを有しているキーボタン組立構造であって、
前記防水リブは、外筺のキーボタン取り付け穴にはめ込んで取り付けられたとき、キーボタン本体の押圧方向に突出するように形成されているキーボタン組立構造。
【請求項２】
前記キーボタン取り付け面は、キーボタン本体の内側に延びている請求項１記載のキーボタン組立構造。
【請求項３】
前記キーボタン取り付け面と、前記外筺のキーボタン取り付け穴の周辺の外筺平面とは、キーボタン本体の中に挿入された弾性部を有するキーボタン保持部によって防水リブを圧接し挟持されている請求項２記載のキーボタン組立構造。
【発明の詳細な説明】
【技術分野】
【０００１】
本発明は、キーボタン組立構造に関し、特に、電子機器の操作のために電子機器の外筺のキーボタン取り付け穴にはめ込んで取り付けられるキーボタン組立構造に関する。
【背景技術】
【０００２】
図６ないし図８は、この種のキーボタン組立構造の第１ないし第３の従来例の構造をそれぞれ示す断面図である。図６のキーボタン本体１５０は、シリコンゴム等の弾性材料から形成されており、キートップ１５１は、上面に数字や記号などを表示する円形あるいは四角形に形成されている。キーボタン本体１５０の外周側面からはキーボタン本体１５０の外周を取り囲むようにキーボタン取り付け面１５２が水平外向きに延び出しており、中央下面からはスイッチ押圧部１５３が下方に向かって垂直に突出している。キーボタン本体１５０は、上部外筺１６０のキーボタン取り付け穴を通してキートップ１５１が突出するようにキーボタン取り付け穴にはめ込まれている。また、キーボタン本体１５０のキーボタン取り付け面１５２は、上部外筺１６０のキーボタン保持部１６１にはめ込まれた取り付け用プレート１６２と、キーボタン取り付け穴の周囲にある上部外筺１６０の下面との間に挟さまれるように組み立てられている。
【０００３】
この組み立ての場合、キーボタン本体１５０のキーボタン取り付け面１５２の上面には上部外筺１６０のキーボタン取り付け穴の周囲にある下面と当接するように防水リブ１５４が形成されているので、防水リブ１５４は、上部外筺１６０のキーボタン取り付け穴の周囲にある下面と当接して、外部から電子機器の内部に水や粉塵が侵入するのを防止している。スイッチ押圧部１５３の下方にはプリント基板１７０に取り付けられたスイッチ１７１がスイッチ押圧部１５３の先端から若干の間隔を開けて配置されている。したがって、キーボタン本体１５０のキートップ１５１が押下されると、キーボタン本体１５０は変形し、スイッチ押圧部１５３が下降してスイッチ１７１を押圧してスイッチング動作を行わせる。
【０００４】
また、図７のキーボタン本体２５０においては、取り付け用プレート２６２を上部外筺２６０のキーボタン保持部２６１にねじ２６３で固定し、キーボタン本体２５０のキーボタン取り付け面２５２を上部外筺２６０との間で挟み固定している。したがって、プリント基板２７０に取り付けられたスイッチ２７１をスイッチ押圧部２５３で作動させる原理、および、防水リブ２５４の変形による防水および防塵の原理は図６のものと同じである。さらに、図８のキーボタン本体３５０においては、図６および図７で用いられていた取り付け用プレートは削除され、キーボタン本体３５０のキーボタン取り付け面３５２は、下部外筺３６９の上に搭載されたプリント基板３７０の上面と、上部外筺３６０のキーボタン取り付け穴の周囲にある下面との間に挟さまれるように組み立てられている。この場合も、スイッチ３７１を作動させる原理、および、防水リブ３５４の変形による防水および防塵の原理は図６のものと同じである。
【発明の開示】
【発明が解決しようとする課題】
【０００５】
図６で示されるキーボタンの場合、キーボタン保持部を複雑な形状にしなければならず、組み立ても容易ではない。図７の場合、ねじで固定しなければならず、異種材料の部材が増える。また、図８の場合、スイッチ押圧部３５３の先端と、スイッチ３７１との間の間隔が上下の外筺３６０，３６９の各部の寸法およびプリント基板３７０の厚み等の影響を受け易く、スイッチング動作に影響を与えてしまう。これら以外に、共通する問題は、防水リブ１５４，２５４，３５４が押圧方向に対して逆方向（上方向）を向いているので、キーボタンに加えられる力は、防水リブ１５４，２５４，３５４による密閉度を下げる方向に働き、密閉度に関する信頼性および安定性を低下させているということ、および、キーボタンのキーボタン取り付け面が水平方向に延びているのでキーボタンが占有する面積が大きくなることである。
【０００６】
本発明は上述した問題点を解決するためになされたものであり、部品構造が複雑でなく、キーボタン本体に加えられる押圧力が防水リブによる密閉度を低下させず、占有する面積が大きくならないキーボタン組立構造を提供することを目的とする。
【課題を解決するための手段】
【０００７】
上述した課題を解決するため、本発明のキーボタン組立構造は、電子機器内に組み込まれたスイッチを操作するために弾性材料から形成され、電子機器の外筺のキーボタン取り付け穴にはめ込んで取り付けられるキーボタン本体を有し、キーボタン本体の側面からは水平に延びるキーボタン取り付け面が形成され、キーボタン取り付け面は、キーボタン本体が外筺のキーボタン取り付け穴に取り付けられるとき、キーボタン取り付け穴の周辺の外筺平面に押し付けられて電子機器の内外を遮断する防水リブを有しており、前記防水リブは、外筺のキーボタン取り付け穴にはめ込んで取り付けられたとき、キーボタン本体の押圧方向に突出するように形成されている。
【０００８】
本発明のキーボタン組立構造は上述したように構成されているので、キーボタン本体に押圧力が加えられた場合に、その押圧力は防水リブをキーボタン取り付け穴の周辺の外筺平面にさらに強く押し付けるように作用し、防水リブの密閉度を低下させるようには作用しない。
【０００９】
また、この発明においては、前記キーボタン取り付け面は、キーボタン本体の内側に延びており、前記キーボタン取り付け面と、前記外筺のキーボタン取り付け穴の周辺の外筺平面とは、キーボタン本体の中に挿入された弾性部を有するキーボタン保持部によって防水リブを圧接し挟持されている。したがって、キーボタン本体の占有する面積は小さくなり、小型化が容易になる。
【発明の効果】
【００１０】
以上に詳述したように本発明によれば、キーボタン本体に押圧力が加えられた場合に、その押圧力は防水リブをキーボタン取り付け穴の周辺の外筺平面にさらに強く押し付けるように作用し、防水リブの密閉度を低下させるようには作用しないので、外部から電子機器の内部に水や粉塵が侵入するのを安定的に防止することができる。また、前記キーボタン取り付け面は、キーボタン本体の内側に延びており、前記キーボタン取り付け面と、前記外筺のキーボタン取り付け穴の周辺の外筺平面とは、キーボタン本体の中に挿入された弾性材料のキーボタン保持部によって挟持されているので、キーボタン本体の占有する面積は小さくなり、小型化が容易になるという効果がある。
【発明を実施するための最良の形態】
【００１１】
以下、本発明の実施の形態について図面を参照しつつ説明する。図１は、本発明のキーボタン組立構造の原理を説明するための断面図、図２は、図１の原理に基づいて構成されたキーボタン組立構造の実施の形態を示す断面図、図３は、図２の変形使用例を示す断面図、図４（ａ）ないし図４（ｅ）は、図２の実施の形態で用いられるキーボタン本体の構造を説明するための図、図５（ａ）ないし図５（ｆ）は、図２の実施の形態で用いられるキーボタン保持部の構造を説明するための図である。
【００１２】
図１で示されるキーボタン組立構造は、シリコンゴム等の弾性材料から形成されたキーボタン本体１０と、キーボタン保持部２１とを有する。キートップ１１は、上面に数字や記号などを表示する円形あるいは四角形（この例においては、円形）に形成されている。キーボタン本体１０の下部の側面からはキーボタン本体１０の内側に向かうようにキーボタン取り付け面１２が水平に延び出している。キーボタン本体１０のキートップ１１の中央下面からはスイッチ押圧部１３が下方に向かって垂直に突出している。
【００１３】
上述の場合、キーボタン本体１０のキーボタン取り付け面１２と、上部外筺２０のキーボタン取り付け穴周辺とがキーボタン保持部２１によって挟持されている。この場合、キーボタン取り付け面１２の下面に、スイッチ押圧部１３を取り囲むように形成された防水リブ１４は、この挟持により上部外筺２０のキーボタン取り付け穴周辺の平面に押し付けられ変形し、外部に対してキーボタン内部を密閉する。
【００１４】
上述のような原理に基づく具体例が図２に示されおり、図２のキーボタン本体の詳細が図４に、キーボタン保持部の詳細が図５にそれぞれ示されている。すなわち、キーボタン保持部６１のフランジ部６１ａ（図５参照）をキーボタン本体５０に挿入組み立てする。この組み立て体を上部外筺６０のキーボタン取り付け穴にはめ込み、キーボタン取り付け面５２と上部外筺６０のキーボタン取り付け穴周辺とがキーボタン保持部６１のフランジ部６１ａと爪部６１ｂ（図５参照）との間で保持されるようにする。キーボタン取り付け面５２の下面には、防水リブ５４がスイッチ押圧部５３を取り囲むように突出形成されているので、この防水リブ５４は、上部外筺６０のキーボタン取り付け穴周辺の平面上に押し付けられ、変形してキーボタン内部を密閉している。
【００１５】
キーボタンは上述したように構成されているので、キーボタン本体１０，５０のキートップ１１，５１が押下されると、キーボタン本体１０，５０は上部外筺６０のキーボタン取り付け穴によって水平方向の移動が規制されながら変形し、キースイッチ押圧部１３，５３が下降してスイッチ３１，７１を押圧してスイッチング動作を行わせる。このとき、防水リブ１４，５４に働く力は、防水リブ１４，５４の突出方向と同じなので、防水リブ１４，５４の密閉度に関する性能を低下させることがない。また、キーボタン取り付け面１２，５２は、キーボタン本体１０，５０の内側に延び出しているので、外側に延び出す場合に比較して占有面積が小さくなり、小型化に適している。
【００１６】
なお、図３の場合は、上部外筺８０に取り付けられたキーボタンによって縦方向に取り付けられたプリント基板９０のスイッチ９１を動作させる方法を示している。
【図面の簡単な説明】
【００１７】
【図１】本発明のキーボタン組立構造の原理を説明するための断面図である。
【図２】図１の原理に基づいて構成されたキーボタン組立構造の実施の形態を示す断面図である。
【図３】図２の実施の形態の変形例である。
【図４】（ａ）は、図２の実施の形態で用いられるキーボタン本体の平面図である。  （ｂ）は、図２の実施の形態で用いられるキーボタン本体の正面図である。  （ｃ）は、図２の実施の形態で用いられるキーボタン本体の下面図である。  （ｄ）は、図２の実施の形態で用いられるキーボタン本体の外観図である。  （ｅ）は、図２の実施の形態で用いられるキーボタン本体の断面図である。
【図５】（ａ）は、図２の実施の形態で用いられるキーボタン保持部の平面図である。  （ｂ）は、図２の実施の形態で用いられるキーボタン保持部の正面図である。  （ｃ）は、図２の実施の形態で用いられるキーボタン保持部の下面図である。  （ｄ）は、図２の実施の形態で用いられるキーボタン保持部の外観図である。  （ｅ）は、図２の実施の形態で用いられるキーボタン保持部の右側面図である。  （ｆ）は、図２の実施の形態で用いられるキーボタン保持部の左側面図である。
【図６】キーボタン組立構造の第１の従来例を示す断面図である。
【図７】キーボタン組立構造の第２の従来例を示す断面図である。
【図８】キーボタン組立構造の第３の従来例を示す断面図である。
【符号の説明】
【００１８】
１０，５０  キーボタン本体、１１，５１  キートップ、１２，５２  キーボタン取り付け面、１３，５３  スイッチ押圧部、１４，５４  防水リブ、２０，５０，８０  上部外筺、３０，７０，９０  プリント基板、３１，７１，９１  スイッチ、７２  基板ホルダ。
【図１】
2005203114.tif 000003
【図２】
2005203114.tif 000004
【図３】
2005203114.tif 000005
【図４】
2005203114.tif 000006
【図５】
2005203114.tif 000007
【図６】
2005203114.tif 000008
【図７】
2005203114.tif 000009
【図８】
2005203114.tif 000010